Podtech/llm-jp-corpus-v4-ja_patent huggingface dataset:
(57)【要約】  【課題】  水素ガスやＬＮＧ等の可燃性ガスの再凝縮等の用途にでも使用することのできる防爆型のガス冷凍機を提供する。  【解決手段】  圧縮機ユニット(２)とコールドヘッド(６)とをバルブユニット(５)を介して接続している極低温冷凍機であって、バルブユニット(５)を構成する流体圧切換弁(Ｖ)をスプール弁(10)やガス作動モータ(21)を回転駆動源とするロータリー弁(20)で構成し、この流体圧切換弁(Ｖ)を極低温冷凍機の圧縮機ユニット(２)を循環する冷媒ガスの一部を使用して切換作動するように構成して防爆構造とした。【選択図】    図１
2006234337.tif 000002
【特許請求の範囲】
【請求項１】
圧縮機ユニット(２)とコールドヘッド(６)とをバルブユニット(５)を介して接続している極低温冷凍機であって、
バルブユニット(５)を流体圧切換弁(Ｖ)で構成し、この流体圧切換弁(Ｖ)を極低温冷凍機の圧縮機ユニット(２)を循環する冷媒ガスの一部を使用して切換作動するように構成して防爆構造としたことを特徴とする極低温冷凍機。
【請求項２】
流体圧切換弁(Ｖ)をスプール弁(10)で構成した請求項１に記載の極低温冷凍機。
【請求項３】
流体圧切換弁(Ｖ)をガス作動モータ(21)を回転駆動源とするロータリー弁(20)で構成した請求項１に記載の極低温冷凍機。
【発明の詳細な説明】
【技術分野】
【０００１】
本発明は、防爆型の極低温冷凍機に関し、特に、ギフォード−マクマフォン冷凍機やパルス管冷凍機等の小型のガスサイクル冷凍機に関する。
【背景技術】
【０００２】
近年、小型の極低温冷凍機の能力が向上し、到達温度の数Ｋ(例えば４.２Ｋ)になるものも提案されている。そのため、小型極低温冷凍機の適用範囲が広がり、水素やＬＮＧの再凝縮に使用する可能性もでてきた。そして、ガスサイクル冷凍機の場合、コールドヘッド内への冷媒ガスの給排を制御するための冷媒ガス流路を切換機構が必要であり、従来は、ロータリー弁を使用して冷媒ガスの給排制御を行っている
【発明の開示】
【発明が解決しようとする課題】
【０００３】
そして、ガスサイクル冷凍機は圧縮−膨張の断熱変化で低温を得るようにしていることから、冷媒ガス給排切換機構はコールドヘッドの近傍に配置される。そして、従来ロータリー弁の駆動源として電動モータを使用していたことから、水素ガスやＬＮＧ等の可燃性ガスの再凝縮等にはそのままの構造では使用しにくいという問題があった。
【０００４】
本発明は、このような点に着目して、水素ガスやＬＮＧ等の可燃性ガスの再凝縮等の用途にでも使用することのできる防爆型のガス冷凍機を提供することを目的とする。
【課題を解決するための手段】
【０００５】
上述の目的を達成するために本発明は、コールドヘッドへの冷媒ガスの給排切換に流体圧切換弁を使用し、この流体圧切換弁の作動流体を冷媒ガスの一部で構成したことを特徴としている。
【発明の効果】
【０００６】
本発明では、コールドヘッドに圧縮機ユニットの高圧ポートと低圧ポートとに切換え接続する冷媒ガスの流路切換機構を流体圧切換弁で構成し、その流体圧切換弁の作動源として、冷媒ガスの一部を使用するようにしていることから、水素ガスやＬＮＧ等の可燃性ガスの再凝縮等に使用しても、電気火花等が発生することがなく、簡単なかつ経済的な構成で防爆仕様にすることができる。
【発明を実施するための最良の形態】
【０００７】
図１は、本発明の一実施形態を示す極低温冷凍機の概略構成図である。
この極低温冷凍機は、圧縮機(１)を内蔵した圧縮機ユニット(２)と、流路切換弁体(３)とこの流路切換弁体(３)の駆動源(４)とからなるバルブユニット(５)と、冷熱発生部となるコールドヘッド(６)とで構成してある。
【０００８】
バルブユニット(５)を構成している流路切換弁体(３)は、その入口ポートを高圧ポート(７)と低圧ポート(８)の２ポートで構成するとともに、出口ポート(９)を１ポートに形成したスプール弁(10)で構成してある。また、流路切換弁体(３)の駆動源(４)は流体圧シリンダ(11)で構成してあり、流体圧シリンダ(11)のプランジャ(12)の進退移動に連動して流路切換弁体(３)を出退させて、出口ポート(９)に連通する入口ポート(７)(８)を選択切換えすることにより流体圧切換弁(Ｖ)に構成してある。
【０００９】
このバルブユニット(５)では、スプール弁(10)の出口ポート(９)はコールドヘッド(６)の蓄冷室(13)とを一系統の冷媒ガス給排管(14)で連通接続し、スプール(10)の高圧ポート(４)を圧縮機(１)の吐出口から導出されている高圧ガス路(15)に、スプール弁(10)の低圧ポート(４)を圧縮機(１)の吸込口に連通接続されている低圧ガス路(16)それぞれ連通接続してある。
【００１０】
流路切換弁体(３)を切換作動させる流体圧シリンダ(11)は、圧縮機ユニット(２)の高圧ガス路(15)と低圧ガス路(16)とにロータリー式切換弁(17)を介して連通接続してある。
【００１１】
このように構成した極低温冷凍機では、圧縮機ユニット(２)とロータリー式切換弁(17)とを非防爆区域内(Ｅ)に配置することにより、コールドヘッド(６)とバルブユニット(５)の流路切換弁体(３)とその駆動源(４)とを防爆構造とすることができ、水素ガスやＬＮＧ等の可燃性ガス貯蔵槽でのこれらガスの再凝縮溶冷却機器として使用することができる。
【００１２】
図２は本発明の別の実施形態を示し、これはバルブユニット(５)をロータリー弁(20)とこのロータリー弁(20)を回転駆動させるガス作動モータ(21)とで構成し、ロータリー弁(20)でコールドヘツドへの冷媒ガス給排制御を行うようにし、極低温冷凍機の圧縮機ユニット(２)からコールドヘッドに送給される冷媒ガスの一部を、ガス作動モータ(21)に供給することで冷媒ガスをガス作動モータ(21)の駆動用ガスとすることで流体圧切換弁(Ｖ)としたものである。この場合にはコールドヘッド(６)とバルブユニット(５)とを防爆構造とすることができ、圧縮機ユニット(２)だけを非防爆区域内(Ｅ)に配置することで、水素ガスやＬＮＧ等の可燃性ガス貯蔵槽でのこれらガスの再凝縮溶冷却機器として使用することができる。
【００１３】
本発明は、ギフォード−マクマフォン冷凍機やパルス管冷凍機等の小型のガスサイクル冷凍機に適用することできる。
【産業上の利用可能性】
【００１４】
本発明では、防爆構造の極低温冷凍機を提供することができるので、ＬＮＧや水素等の可燃性ガスを冷却源として使用する場合での再液化が可能となり、従来の不活性ガスや液体空気とは異なる温度域での安定冷却を行なうことができる。
【図面の簡単な説明】
【００１５】
【図１】本発明の一実施形態を示す極低温冷凍機の概略構成図である。
【図２】本発明の別の実施形態を示す極低温冷凍機の概略構成図である。
【符号の説明】
【００１６】
２…圧縮機ユニット、６…コールドヘッド、５…バルブユニット、10…スプール弁、20…ロータリー弁、21…ガス作動モータ、Ｖ…流体圧切換弁。
【図１】
2006234337.tif 000003
【図２】
2006234337.tif 000004
(57)【要約】【課題】内蔵する燃料電池の電力出力の積算値を外部に表示し、ガス事業者のガス販売の課金方式の利便性を高めたガスメーターを提供することを目的とする。【解決手段】ガスを用いて発電する燃料電池１と、この燃料電池１の電力出力検出及び積算とガス流量検出器２のガス流量検出及び積算を行う制御部３と、燃料電池１の電力出力検出の積算値とガス流量検出器２のガス流量検出の積算値を表示する表示手段４備え、本来はガス流量の計量情報を表示する表示手段３を、燃料電池１の電力出力の積算値の表示にも兼用し、ガス事業者のガス販売の課金方式の利便性をより高めたものである。【選択図】図１
2006234464.tif 000002
【特許請求の範囲】
【請求項１】
ガスを用いて発電する燃料電池と、前記燃料電池の電力出力検出及び積算とガス流量検出及び積算を行う制御部と、前記燃料電池の電力出力検出の積算値と前記ガス流量検出の積算値を表示する表示手段とを備えたガスメーター。
【請求項２】
表示手段は、燃料電池の電力出力検出の積算値とガス流量検出の積算値の表示切替手段を備えた請求項１記載のガスメーター。
【請求項３】
制御部は、燃料電池の電力検出の積算値とガス流量検出の積算値をあわせて記憶する不揮発性の記憶手段を有する請求項１記載のガスメーター。
【発明の詳細な説明】
【技術分野】
【０００１】
本発明は、ガスを用いての発電機能を有するガスメーターに関するものである。
【背景技術】
【０００２】
従来、ガスメーターはガス販売を目的とし、ガス流量検出した情報を主に表示するものであった（例えば、非特許文献１参照）。
【０００３】
図３は、上記従来のガス保安メーターを示すもので、１１はガス流量検出を行う制御部、１２はガス流量検出した情報を表示する表示手段である。
【非特許文献１】社団法人  日本ガス協著「業務用マイコンメーター（３０〜１２０号）技術資料」、平成７年１０月号
【発明の開示】
【発明が解決しようとする課題】
【０００４】
しかしながら、前記従来の構成では、ガスメーターの有する表示機能構成は、ガス使用量の表示だけであり、発電機能を内蔵した場合には、その出力状況を確認ができる手段がないという課題を有していた。
【０００５】
本発明は、前記従来の課題を解決するもので、ガスメーターがガス流量の計量情報を表示する表示手段を活用し、燃料電池の電力出力の積算値を外部に表示し、ガス事業者としてのガス販売の尺度をガス使用量だけでなく、発電量でも課金できる利便性を高めたガスメーターを提供することを目的とする。
【課題を解決するための手段】
【０００６】
前記従来の課題を解決するために、本発明のガスメーターは、ガス流量の計量情報を表示する表示手段を活用し、燃料電池の電力出力の積算値を外部に表示できるようにしたものである。
【０００７】
これによって、ガス販売の尺度をガス使用量だけでなく、発電量でも課金できることが可能となる。
【発明の効果】
【０００８】
本発明のガスメーターは、ガス流量の計量情報を表示する表示手段を活用し、燃料電池の電力出力の積算値を外部に表示することにより、燃料電池の動作状況が容易に外部から確認でき、ガス事業者のガス販売の課金方式の利便性を高めることができるものである。
【発明を実施するための最良の形態】
【０００９】
第１の発明は、ガスを用いて発電する燃料電池と、前記燃料電池の電力出力検出及び積算とガス流量検出及び積算を行う制御部と、前記燃料電池の電力出力検出の積算値と前記ガス流量検出の積算値を表示する表示手段とを備えたもので、ガス事業者のガス販売の課金方式の利便性をより高めることができるものである。
【００１０】
第２の発明は、特に、請求項１に記載の表示手段を、燃料電池の電力出力の積算情報とガス流量検出したガス流量の積算情報をひとつの表示器に切り替えて表示することにより、表示器を減らすことができる。
【００１１】
第３の発明は、特に、請求項１に記載の制御部に不揮発性の記憶機能を備えるため、万が一にガスメーターの制御部が故障した場合でも計量情報を残すことができる。
【００１２】
以下、本発明の実施の形態について、図面を参照しながら説明する。なお、この実施の形態によって本発明が限定されるものではない。
【００１３】
（実施の形態）
図１において、１はガスメーターに内蔵され、ガスを用いて発電を行い、それにより得られた電力を外部に供給可能な燃料電池である。２はガス流動方向上流側と下流側とに所定の間隔をおいて少なくとも一対の超音波送受信器を配置し、それら超音波送受信器間の超音波伝搬時間をもとにガス流量を検出を行うガス流量検出器、３は上記燃料電池１の電力出力検出及び積算と、ガス流量検出器２のガス流量検出及び積算を行う制御部、４は燃料電池１における電力出力検出と積算値、及び前記ガス流量検出器２におけるガス流量検出と積算値をそれぞれ表示する表示手段である。表示手段は、５は表示手段４による表示を、燃料電池１による電力出力検出の積算値、或いはガス流量検出器２によるガス流量検出の積算値のいずれかに切り替える表示切替手段である。
【００１４】
以上のように構成されたガスメーターについて、以下その動作、作用を説明する。
【００１５】
まず、ガスメーターの制御部３は、常に燃料電池１を動作コントロールしながら電力出力検出及び積算と、ガス流量検出器２でのガス流量検出及び積算をしており、図２のように、表示切替手段４がガス流量表示側であれば、ガス流量の計量積算値を表示している。
【００１６】
ここで表示切替手段５を燃料電池１の電力表示側にすると、の制御部３は、その時点での燃料電池の電力出力の積算値を表示手段４で表示する。このように表示手段４により、燃料電池１の電力出力の積算値を外部から容易に目視確認でき、ガス販売の課金時の利便性を高めることができる。
【００１７】
また、燃料電池１の電力出力の積算値とガス流量の積算値をひとつの表示手段４で表示できるように切り替えて表示することにより、一つの表示手段４を二つの表示に兼用することができる。
【００１８】
なお、制御部３は、燃料電池１の電力検出の積算値と、ガス流量検出器２のガス流量検出の積算値をあわせて記憶する不揮発性の記憶手段を有するものである。
【００１９】
以上のように、本実施の形態においてはガス流量の計量情報を表示する表示手段と兼用で、燃料電池の電力出力の積算値を外部に表示することにより、容易に外部から確認することができ、ガス販売の課金方式の利便性をより高めることができる。
【産業上の利用可能性】
【００２０】
以上のように、本発明にかかるガスメーターは、ガス流量の計量情報表示手段を使い、燃料電池の電力出力の積算値をも外部に表示することにより、燃料電池の動作状況が容易に外部から確認でき、ガス事業者のガス販売の課金方式の利便性を高めることができるもので、複数の機能表示を必要とする機器への展開が可能である。
【図面の簡単な説明】
【００２１】
【図１】本発明の実施の形態におけるガスメーターの構成図
【図２】同ガスメーターの表示作動フローチャート
【図３】従来のガスメーターの構成図
【符号の説明】
【００２２】
１  燃料電池
２  ガス流量検出器
３  制御部
４  表示手段
５  表示切替手段
【図１】
2006234464.tif 000003
【図２】
2006234464.tif 000004
【図３】
2006234464.tif 000005
(57)【要約】      （修正有）【課題】  スプーン一杯摺きるのに、スプーンの表面にスライド式の摺切用のＴ字型バーを取付け、そのバーをスライドさせて粉末等の材量のスプーン一杯分の分量をもとめる。【解決手段】  スプーンの柄に、Ｔ字型摺切バー２をスライドさせるガイド用の細長い穴をあけ、摺切バー２のスライドの終了部分のピンで制止する。摺切バー２は逆にスライドさせて元に戻す。【選択図】      図３
2006234408.tif 000002
【特許請求の範囲】
【請求項１】
スプーンの柄の部分にスライド式Ｔ字型バーを取付、それをスライドさせる事によりスプーン一杯分の分量がえられる計量スプーン。
【発明の詳細な説明】
【技術分野】
【０００１】
本発明は、粉末等の材量をスプーン一杯分求めるに容易なスプーンである。
【背景技術】
【０００２】
従来は、粉末等の材量をスプーン一杯を計るに、正確でないおおよその分量を得るか、正確に計る場合、摺切用の別の棒きれ等を、用意しなければならなかった。
【０００３】
この改善策として、Ｔ字形の摺切用のバーをスプーンの柄に個定し、それをスライドさせる方法をもちいる。
【発明の開示】
【発明が解決しようとする課題】
【０００４】
計量スプーンに取付ようとする、Ｔ字型バーの取付方とスライドの方法
【課題を解決するための手段】
【０００５】
１、スプーンの柄にスライド用のガイドホールを、スプーンの摺切部分の長さの分だけあける。
２、Ｔ字型の摺切バーには粉末などの材料を押し出すフェンスと、スライドガイド用のピンと、スライド止めのピンを取付てあり、請求項１記載の計量スプーン
【発明の効果】
【０００６】
スプーン一杯分の分量を計る時、スプーン一杯分摺きるために、何か別の道具を用意しなければならないが、Ｔ字型摺切用のバーを計量スプーンに取付けることにより、拇をスライドさせるだけでえられる。
【発明を実施するための最良の形態】
【０００７】
スプーン一杯分を計ろうとする粉末等の材量を、Ｔ字型摺切バー付き計量スプーンに山盛一杯すくいとり、Ｔ字型摺切バーをスライドさせて、スプーン一杯分の分量をもとめる。
【図面の簡単な説明】
【０００８】
【図１】本発明の一実施例を示す側面図である。
【図２】本発明の一実施例を示す平面図である。
【図３】本発明の一実施例を示し、上からの斜視図である。
【図４】本発明の一実施例を示し、下からの斜視図である。
【図５】本発明の一実施例を示し、粉末などの材料をスプーンに山盛り一杯すくった図である。
【図６】本発明の一実施例を示し、Ｔ字型摺切バーを中間まで押し出した図である。
【図７】本発明の一実施例を示し、Ｔ字型摺切バーのスライド止めの制止位置の図である。
【符号の説明】
【０００９】
１  計量スプーン
２  Ｔ字型摺切バー
３  Ｔ字型摺切バーをスライドさせるための爪
４  Ｔ字型摺切バーのガイドホール
５  Ｔ字型摺切バーのスライド止めのピン
６  スライドのガイドホール
７  Ｔ字型摺切バーのスライド止めのピンの制止位置
８  Ｔ字型摺切バーの先端につけてある、粉末などの材料を押し出すフェンス
【図１】
2006234408.tif 000003
【図２】
2006234408.tif 000004
【図３】
2006234408.tif 000005
【図４】
2006234408.tif 000006
【図５】
2006234408.tif 000007
【図６】
2006234408.tif 000008
【図７】
2006234408.tif 000009
(57)【要約】【課題】ネクタイの裏面に、ワイシャツにあるボタンを留める穴と同じ要領で穴を開け縫合し、ネクタイとワイシャツを留めようとするタイピンいらずのネクタイを提供する。【解決手段】ネクタイの裏面の細い先端の方から、全体の長さの約４分の１までの間で、真ん中から若干左右どちらかにずらした部分に、適度な間隔で、ワイシャツのボタンを留める穴と同じ要領で穴を開け縫合することを特徴とするタイピンいらずのネクタイ。【選択図】図１
2006016741.tif 000002
【特許請求の範囲】
【請求項１】
ネクタイの裏面の細い先端の方から、全体の長さの約４分の１までの間で、真ん中から若干左右どちらかにずらした部分に、適度な間隔で、ワイシャツのボタンを留める穴と同じ要領で穴を開け縫合することを特徴とするタイピンいらずのネクタイ。
【発明の詳細な説明】
【技術分野】
【０００１】  本発明は、ネクタイの裏面に、ワイシャツにあるボタンを留める穴と同じ要領で穴を開け縫合し、ネクタイとワイシャツを留めようとするタイピンいらずのネクタイに関するものである。
【背景技術】
【０００２】  従来、ネクタイをワイシャツからずらさない為にネクタイピンがあった。
【発明の開示】
【発明が解決しようとする課題】
【０００３】  そのために、次のような問題点があった。
（イ）ネクタイピンでは、ネクタイが簡単にワイシャツから外れてしまうということがあった。
（ロ）ネクタイピンが、いつの間にかなくなってしまうということがあった。
【課題を解決するための手段】
【０００４】  ネクタイの裏面の細い先端の方から、全体の長さの約４分の１までの間で、真ん中から若干左右どちらかにずらした部分に、適度な間隔で、ワイシャツのボタンを留める穴と同じ要領で穴を開け縫合する。以上を特徴とするタイピンいらずのネクタイである。
【発明の効果】
【０００５】  タイピンいらずのネクタイをした後に、ワイシャツのボタンをワイシャツだけではなく、タイピンいらずのネクタイに開けた穴にも留める。このようにすることにより、ネクタイはワイシャツからずれる事無く、真っ直ぐな状態を保つことが出来る。
【発明を実施するための最良の状態】
【０００６】  以下、本発明の実施の形態について説明する。
（イ）ネクタイの裏面の細い先端の方から、全体の長さの約４分の１までの長さ（１）を設ける。
（ロ）真ん中から若干左右どちらかにずらした部分（２）から、太い先端部分にむかって適度な間隔で、ワイシャツにあるボタンを留める穴（３）と同じ要領で穴を開けていく。
本発明は以上のような構成で、これを使用するときは、タイピンいらずのネクタイをして、ワイシャツにあるボタンを留める穴（３）に、ワイシャツのボタンを留めて、ワイシャツとタイピンいらずのネクタイを離れないようにする。
【図面の簡単な説明】
【０００７】
【図１】本発明の裏面図
【符号の説明】
【０００８】  １  ネクタイの裏面の細い先端の方から、全体の長さの約４分の１までの長さ
２  真ん中から若干左右どちらかにずらした部分
３  ワイシャツにあるボタンを留める穴
【図１】
2006016741.tif 000003
(57)【要約】      （修正有）【課題】くつ下を人間がはいた時に、人間から発生するあせなどの湿気（水分）がくつ下の織維内への蓄積、足への付着不快感の存在を解消したくつ下の提供。【解決手段】くつ下の底部分をあみ状にし、人間の足のうらと外部の通気面積をふやし、あみ部分で、湿気を吸収し、足のうらへの水分の蓄積を少なくする。【選択図】図１
2006016743.tif 000002
【特許請求の範囲】
【請求項１】
くつ下の底部分をあみ状にしたことにより通気性がよいこと。
【請求項２】
くつ下の底部分をあみ状にしたことにより、足へのマッサージ効果があること。
【請求項３】
くつ下の底部分があみ状である為くつ下をはいて、直立している時はあみ部分が他の人には、見えない。みためが普通のくつ下である
【請求項４】
くつ下の底部分をあみ状にしたことにより、あみ部分が人間のあせを吸収してくれる．
【請求項５】
くつ下の底部分をあみ状にしたことにより、くつ下をはき、くつをはいたときに、くつの内部の底と、人間の足のうらに空間が多くできる．
【請求項６】
くつ下の底部分をあみ状にしたことにより、くつ下の底部分に吸収された水分が、空気にふれている面積が多く、乾燥時間が短縮される．
【請求項７】
くつ下の底のあみのめの大きさを変えることにより、通気性の調節が可能であること．
【請求項８】
くつ下の底をあみ状にしたことによる、歩行時のすべり止め効果．
【請求項９】
くつ下の底をあみ状にしたことによる、人間がくつ下をはき、くつをはいて歩行した時のくつ内部でのずれ防止効果．
【請求項１０】
くつ下の底をあみ状にしたことによる、人間がくつ下をはき、くつをはいて歩行した時の人間の体重によるあみ状の部分の伸縮による、換気効果．
【発明の詳細な説明】
【技術分野】
【０００１】
【背景技術】
【０００２】さまざまな、通気性のある、くつ下の存在．
【発明の開示】
【０００３】くつ下の底部分をあみ状にすることによるくつ下を人間がはいた時に人間の足のうらからでる、あせなどの湿気（水分）の足のうらやくつ下の織維の中への蓄積、不快感の存在．
【発明が解決しようとする課題】
【０００４】人間がくつ下をはいて、歩行時、直立時の人間から出るあせなどの足のうらや、くつ下の織維内への蓄積、不快感の解消．
【課題を解決するための手段】
【０００５】くつ下の底部分をあみ状にすることにより、くつ下を人間がはいた時に、人間の足を外気にふれている部分が多くとれ、あせなどの蓄積を防ぐ．
【発明の効果】
【０００６】くつ下の底部分をあみ状にすることにより、通気性がよく、人間のあせの中にある雑菌による、においの発生や水虫などの疾病の予防ができる．
【発明を実施するための最良の形態】
【０００７】吸湿性のある織維素材を使用したくつ下の作成と使用．
【実施例】
【０００８】
【産業上の利用可能性】
【０００９】医療部門での足に疾病をもつ方々の使用により足の乾燥効果の増大により、治療へとみちびく。
【図面の簡単な説明】
【００１０】底部分をあみ状にしたくつ下【図１】「底部分をあみ状にしたくつ下の底部分の平面図である」
【図２】「底部分をあみ状にしたくつ下の断面図である」
【符号の説明】
【００１１】１  くつ下の底．
２  くつ下の底部にある、あみ状の織維．
【図１】
2006016743.tif 000003
【図２】
2006016743.tif 000004
(57)【要約】【課題】ホテル、旅館等で貸与される寝具・衣料の中に浴衣がある。寝巻きとして使用した場合、就寝中の寝返り等で着崩れし、朝、目が覚めたときに腹部が露出している事は少なくない。場合によっては、体調を損ねたり、集団で就寝していた場合は恥ずかしい思いをする可能性がある。これを解決する。【解決手段】浴衣の前が開け無いようにする為、上前の衿と下前に帯状のマジックテープを交差する様に取付ける。これにより体形・身長・体重に関らず所望の位置で固定できるようにした。【選択図】図１
2006016742.tif 000002
【特許請求の範囲】
【請求項１】
浴衣において上前の衿に沿った衿の裏側、および衿の上下端の間の下前の表側に帯位置に沿って、帯状のマジックテープを取付けたことを特徴とした浴衣。
【発明の詳細な説明】
【技術分野】
【０００１】衣料品
【背景技術】
【０００２】マジックテープ
【発明の開示】
【発明が解決しようとする課題】
【０００３】ホテル、旅館等で貸与される寝具・衣料の中に浴衣がある。浴衣は性別・身長・体重・体形に関らず誰もが着ることが出来る為、洋風ホテルといえども使用されているのが実状である。しかし、寝巻きとして使用した場合、就寝中の寝返り等で着崩れし、朝、目が覚めたときに浴衣の前が開き腹部が露出してる事は少なくない。場合によっては、体調を損ねたり、集団で就寝していた場合は恥ずかしい思いをする可能性がある。このため、世代によっては嫌われホテルの浴衣を着ない者も少なくない。外国には無い日本の良い文化・習慣を絶やさず発展させる為に新たな浴衣を提案したい。
【課題を解決するための手段】
【０００４】▲１▼マジックテープを使用する。マジックテープとは帯状の布テープの表面に引っ掛ける機能または引っ掛けられる機能を付加したもので異なる機能のテープの表面同士を圧着すると可逆的に接合できるものである。付け直しが自由にできる。
また、同一のテープに引っ掛ける機能または引っ掛けられる機能を合わせ持つ物もある。
▲２▼異なる機能の帯状のマジックテープを交差する様に取り付けることにより、交差した部分で接合する。交差する位置を変えることで様々な性別・身長・体重・体形に対応できるようにする。
【発明の効果】
【０００５】▲１▼マジックテープで接合することにより浴衣の形状が維持でき着崩れしない。
▲２▼マジックテープが交差する所であればどこでも固定することが出来る為、体形・身長・体重に関らず、誰でも着られるという浴衣の特徴を損なう事が無い。
【発明を実施するための最良の形態】
【０００６】引っ掛かる機能のマジックテープは幅２５ｍｍの布テープの表面にしなやかな材質でできたループ状の繊維を無数に植毛してある、これをここではループファスナーと呼ぶ。また、引っ掛ける機能のマジックテープは同様に２５ｍｍの布テープの表面に小さなプラスチックの鉤状の部品を無数に植毛してある、これをここではフックファスナーと呼ぶ。フックファスナーは鉤の部分が若干硬い為、取付け位置は腰骨からウエストの範囲内で下前の帯に隠れる位置にとりつける。帯と同色にしたりデザインを同じにすると更に良い。
ループファスナーの取付け位置は肌が触れ難い様衿の下方の衿の裏面に帯状に縫い付ける。
マジックテープの接合は、ずれには強いが引き剥がしには弱いので上から帯で押え、引き剥がし難くすることで更に効果を上げる事が出来る。
細い帯状のマジックテープを交差して使う事により、マジックテープは少ない面積で広範囲の固定が出来、浴衣の生地の風合いを損なう事が少なく、また低コストで機能を実現する事が出来る。
【実施例】
【０００７】ホテル・旅館から貸与される寝巻き浴衣にこの特許を適用する。
【産業上利用可能性】
【０００８】以下の衣料品にも適用できる
▲１▼着物
▲２▼健康診断用衣料
▲３▼柔道着・剣道着等
▲４▼甚平羽織
【図面の簡単な説明】
【０００９】図１は浴衣にマジックテープを取り付けた実施例である。１はフックファスナーで使用者の腰骨からウエスト辺りにくる下前２の位置に帯位置６に平行に縫い付けてある。上前５に隠れた部分は破線で記してある。４はループファスナーである。衿の裏側に縫い付けてあるので破線で記してある。フックファスナーとループファスナーは交差する様に配置している。
【符号の説明】
【００１０】１…フックファスナー、２…下前、３…衿、４…ループファスナー、５…上前、６…帯位置
【図１】
2006016742.tif 000003
(57)【要約】【課題】  鍵の開閉動作のみで施錠状態の表示と保持が容易にでき、かつ、遊び感覚で手軽に購入できる小型・薄型の施錠確認表示付き鍵付属品を提供する。【解決手段】鍵１の挿入方向に対して垂直に小球２が移動できる溝形状部７を備え、その溝形状部内に小球を設け、かつ、鍵の挿入方向に対して水平にバネ６にて可動する突起部５と一体であるスライド板４を設け、溝形状部中央部にその突起部が行き来できるスリットを設けることで、鍵の開閉の際の回転で移動する小球２の位置によって施錠状態が表示でき、かつ、鍵の抜き差しにて移動するスライド板４の突起部５にて小球の表示切替えと表示保持ができるような構成にした。【選択図】図１
2006016946.tif 000002
【特許請求の範囲】
【請求項１】
鍵の挿入方向に対して垂直に小球が移動できる溝形状部を備え、その溝形状部内に小球を設け、かつ、鍵の挿入方向に対して水平にバネにて可動する突起部と一体であるスライド板を設け、溝形状部中央部にその突起部が行き来できるスリットを設けたことを特徴する施錠確認表示付き鍵付属品。
【発明の詳細な説明】
【技術分野】
【０００１】  本発明は、鍵の開閉の際の回転動作により移動する小球によって施錠・開錠の状態が表示でき、かつ表示の保持が容易にできる鍵付属品に関するものである。
【背景技術】
【０００２】  従来の施錠状態を表示できる鍵付属品は、様々な構成のものが提案されているが電池やセンサーを内蔵したり、複雑な構造であるため、付属品自体が大きく、実用に耐えうるものではなかった。
【発明の開示】
【発明が解決しようとする課題】
【０００３】  それには、次のような問題点があった。
（イ）キーホルダーに付けて他の鍵と持ちあわせるときにがさばる。
（ロ）ケースに入れたり、スイッチをいれるなど鍵の施錠行為以外の操作が必要なものが多い。
（ハ）鍵と一体型の付属品だけでなく、錠前ユニットにも部品を付ける必要なものがある。
（ニ）気軽に購入できるアクセサリーとしての遊び感覚がない。
本発明は、以上の問題点を解決するためになされたものである。
【課題を解決するための手段】
【０００４】  ケース３内部に鍵の挿入方向に対して水平にバネ６にて可動する突起部５と一体であるスライド板４を設け、かつ、鍵の挿入方向に対して垂直に小球２を収容した溝形状部７を設ける。その溝形状部の中央部にはスライド板の突起部が行き来できるスリット８を設け、かつ、溝内部両端に小球を保持できる凹形状９を設ける。溝形状部を固定する蓋１０には小球の可動限界範囲である両端もしくは片端に透かし窓１１を設ける。
鍵を挿入した際にはスライド板４の突起部５が溝形状部７の外に移動することにより、小球２の移動の遮断が解除され、小球２が施錠・開錠方向に移動する。鍵を抜いた際にはスライド板４の突起部５がバネ６にて溝形状部７の内部に移動することにより、小球２の移動が遮断され、小球の位置が固定される。また、溝内部両端に凹形状９を設けることにより、鍵の抜き差し時に鍵の姿勢が水平状態になる横穴式９０度迂回回転タイプについても小球が迂回時の反動で逆方向に移動することなく、小球２が施錠・開錠方向に保持されることになる。
本発明は、以上の構成よりなる施錠状態表示付き鍵付属品である。
【発明の効果】
【０００５】  このような構造であるから、小型化が可能であるだけではなく、９０度迂回回転横穴式シリンダータイプと従来の１８０度回転による縦穴式シリンダータイプの両タイプにも対応し、開閉動作のみで施錠状態を表示、かつ、表示の切替えと表示の保持を簡単な構造で実現できる。また、蓋に設けた小球の位置確認のための表示窓を昆虫や動物などの目に見立てるなど、蓋にさまざまなデザインのシールを貼ることで、鍵の識別だけではなく、遊び感覚で手軽に安く購入できる実用的で大量生産可能な施錠確認表示付き鍵付属品が実現できる。
【発明を実施するための最良の形態】
【０００６】以下、本発明の実施例について図面を参照しながら説明する。
〔実施例１〕図１〜図４に基本構造を示す。
（イ）ケース３内部に鍵の挿入方向に対して水平にバネ６にて可動する突起部５と一体であるスライド板４を設ける。
（ロ）鍵の挿入方向に対して垂直に小球２が移動できる溝形状部７をスライド板４の上面に設け、その溝形状部内に小球２を設ける。
（ハ）溝形状部７の中央部にはスライド板４の突起部５が行き来できるスリット８を設け、かつ、溝内部両端には小球を保持できる凹形状９を設ける。
（ニ）溝形状部７を固定する蓋１０には小球２の可動限界範囲である両端もしくは片端に透かし窓１１を設ける。
本発明は以上のような構造で、これを使用するときは、ケース３の裏面に両面テープを施し、挿入完了位置から指定の距離をおいて鍵に直接接着する。
なお、本考案の小球径は２ｍｍ前後で光沢も重量もある金属小球が望ましいが、球形状ではなく、滑らかに可動する形状・材質であってもよい。また、部品全てをプラスチック成型品で製造可能であるが小球及びバネを金属部品で行い、その他の部品を透明な樹脂で形成するだけでも意匠的に優れたものとなる。さらに蓋の表示窓を曲面にし、簡易型レンズにすることで、小球を拡大できるため、より薄型が可能となる。
〔実施例２〕
実施例１では本発明の基本構造を示しているが図５のように蓋１０の外形形状を統一し、透かし窓１１を切り欠いた種々の柄のシール１２を蓋１０に添付すれば、鍵の識別に利用するだけでなく、デザイン的にも多岐にわたり、かつ、最小のコストで実現できる。また、蓋１０の内壁を統一し、外壁を種々の形状に形成することでも種類を増やすことができる。どちらの場合にしても表示窓を昆虫や動物の目に置き換えれば、意匠的に優れたものになる。
【図面の簡単な説明】
【０００７】
【図１】本発明の組立後の斜視図である。
【図２】本発明の分解斜視図である。
【図３】本発明の作動説明縦断面図であり、（ａ）は鍵携帯時及び挿入直前の断面図であり、（ｂ）は鍵を挿入した施錠時又は開錠時の断面図である。
【図４】本発明の作動説明横断面図であり、（ａ）は９０度迂回回転横穴式シリンダータイプの挿入時の断面図であり、（ｂ）は（ａ）状態から反時計方向に鍵を回した断面図である。（ｃ）は９０度迂回回転横穴式シリンダータイプの施錠時又は開錠時完了の断面図であり、（ｂ）状態から時計方向に９０度戻し、鍵を抜いた状態の断面図である。
【図５】実施例２の分解斜視図である。
【符号の説明】
【０００８】  １  鍵
２  小球
３  ケース
４  スライド板
５  突起部
６  バネ
７  溝形状部（小球収容部）
８  スリット
９  凹部
１０  蓋
１１  透かし窓（表示窓）
１２  シール
１３  錠本体
【図１】
2006016946.tif 000003
【図２】
2006016946.tif 000004
【図３】
2006016946.tif 000005
【図４】
2006016946.tif 000006
【図５】
2006016946.tif 000007
(57)【要約】【課題】  従来の耐力壁を構成する要素の一部である面材を張り付ける釘と接合金物取り付け釘は、それぞれに有り、またそれぞれが阻害している。【解決手段】  面材を張り付ける釘と接合金物取り付け釘を兼用できる金物とし、更に鉄板の持っている強い局部強度で面材の弱い局部強度を補う事により耐力壁の強度性能を向上させる事が安全確実容易にできる。【選択図】  図２
2006016941.tif 000002
【特許請求の範囲】
【請求項１】
Ｌ形薄板鉄板の踵部１を切り欠いた平板を、断面がコの字になるように折り曲げ溝のあるＬ形状とし、構造用面材隅角部に被せ、コの字の表側鉄板釘穴６と裏側鉄板釘穴７の位置が構造用面材の厚みを隔ててそれぞれ一致する構造用面材隅角部補強金物。
【請求項２】
請求項１の面材の表側にくる縦鉄板３が土台下端まで伸びた鉄板部１８に釘穴を有する、Ｔ形薄板鉄板から作る構造用面材隅角部補強金物。
【発明の詳細な説明】
【技術分野】
【０００１】  本発明は、木造耐力壁の強度性能向上に関する。
【背景技術】
【０００２】  木造には、軸組工法と枠組壁工法がある。【０００３】  耐力壁には筋交いによる方法と構造用面材（合板等、以下面材と云う）を釘打ちにより軸組材又は枠組材に張り付ける方法があり、本発明は後者の方法に関する（図５）。【０００４】  軸組材の土台と柱、柱と横架材の接合は、長ほぞ差し込み栓打ちもあるが多くは山形プレートやかど金物を止め付け面材を張る。【０００５】  枠組壁工法は、枠材材に面材を張り付けた後、その上から帯金物を枠材に止め付ける。
【発明の開示】
【発明が解決しようとする課題】
【０００６】  軸組工法では、外壁側に接合金物を取り付けると面材張り付け釘が当たるので、避けて釘打ちするか、接合金物を面材張り付けと反対側に取り付けるなど工夫している（図６）。【０００７】  枠組壁工法では、先に張り付けた面材の釘に帯金物取り付け釘が当たったり、縦枠下部に釘が集中するので割れ易くなる。【０００８】  地震等による耐力壁の破壊状態は、釘は柱、横架材、土台、又は枠組材に固定されているが
（イ）釘頭が、斜めに傾いて面材にめり込んでいる。
（ロ）面材の端、縁が釘により引裂かれている。
（ハ）面材が、釘頭のパンチング・シヤーにより打抜かれている。
これらは、いずれも耐力壁の下部隅角部に生じる。
【課題を解決するための手段】
【０００９】  本発明金物は、面材張り付け釘と金物取り付け釘が一つの釘で兼ねる事が出来る金物で、接合金物に必要とされる強度を有している。【００１０】  そして、
（イ）釘頭が面材へめり込む事に対して、面材の局部耐力不足を補うために鉄板を釘頭と      面材の間に敷く。
（ロ）端、縁の引裂きに対して、面材木口、端、縁を鉄板で覆い釘打ちで袋綴じにし引裂      きを防ぐ。
（ハ）パンチング・シヤーによる面材の耐力不足は、鉄板の耐力で補うため面材の表、裏      両面に鉄板を添え面材と同時に釘を貫通させ軸組材又は枠組材に打ち込むことによ      り打抜けを防ぐ。
これらにより、耐力壁の強度性能は向上する。
【発明の効果】
【００１１】  上述したように本発明の金物は、面材釘が接合金物釘を兼ねており、釘穴に釘を打てば金物に当ったり、木が割れることなく施工が容易確実である。【００１２】  面材の厚みや品質等級を上げることなく、耐力壁を構成している面材の破壊し易い部分を補強する事により耐力壁の強度性能が向上し、経済的である。【００１３】  鉄板による補強のため、外力に応じて釘間隔を短く複数列化により、釘本数を増すこともできるので更に強度性能を向上できる。
【発明の実施するための最良の形態】
【００１４】  以下，本発明の実施の形態を図１〜図４に基づいて説明する。
【００１５】  Ｌ形薄板鉄板の踵部１を切り欠く（図１）。
【００１６】  折り曲げ線の間隔は面材の厚みとし、コの字形に曲げ易いように折り曲げ線に細く浅い溝２を付け更に細長孔８を数カ所あける。
【００１７】  コの字形に折り曲げた時、表側鉄板の釘穴６と裏側鉄板の釘穴７の位置が面材の厚みを隔てて一致するよう穴をあける（６ａには７ａ、６ｂには７ｂ以下同様）。
【００１８】  折り曲げ線に沿って折り曲げ、全体がコの字の溝を持ったＬ形状とする（図２）。
【００１９】  表側鉄板の縦板３を横板４の上にし、縦板釘穴６ｃｔと下になる横板釘穴６ｃｙと一致させ、裏側鉄板５とで面材隅角部を包むように被せ、本金物を面材に仮止め釘穴を利用して面材木口に釘止めする。
【００２０】  釘穴に釘を鉄板・面材・鉄板と貫通させ、軸組材に打ちつける（図３）。
【００２１】  請求項２の金物は、枠組壁工法用で面材表側鉄板の縦板３を枠組壁土台下端迄伸び、帯金物を兼ねる（図４）。
【００２２】  表側鉄板を土台下端まで伸ばすためＬ形薄鉄板をＴ型とし、以下請求項１に同じく折り曲げ面材に被せ、釘を鉄板・面材・鉄板と貫通させ枠組材に釘止めする。
【００２３】  延長された鉄板と土台との接合は、厚みを調整する面材を鉄板と土台の隙間に設け、釘を面材貫通させ土台や側、端根太に釘を打ち込む。
【図面の簡単な説明】
【００２４】
【図１】  本発明の実施形態を示す金物の加工図
【図２】  同金物の斜視図
【図３】  同金物の耐力壁取り付け説明図
【図４】  同請求項２の金物斜視図
【図５】  従来の耐力壁説明図
【図６】  従来の耐力壁の金物取り付け説明図
【符号の説明】
【００２５】１      踵部
２      折り曲げ線
３      面材の表側にくる縦鉄板
４      面材の表側にくる横鉄板
５      面材の裏側にくる鉄板
６      面材の表側にくる鉄板釘穴、総称
６ａ    面材の表側にくる縦鉄板釘穴ａ番目
６ｂ    面材の表側にくる縦鉄板釘穴ｂ番目
６ｃｔ  面材の表側にくる縦鉄板釘穴ｃ番目
６ｃｙ  面材の表側にくる横鉄板釘穴ｃ番目
６ｄ    面材の表側にくる横鉄板釘穴ｄ番目
６ｎ    面材の表側にくる横鉄板釘穴ｎ番目
７      面材の裏側にくる鉄板釘穴、総称
７ａ    面材の裏側にくる鉄板釘穴ａ番目
７ｂ    面材の裏側にくる鉄板釘穴ｂ番目
７ｃ    面材の裏側にくる鉄板釘穴ｃ番目
７ｄ    面材の裏側にくる鉄板釘穴ｄ番目
７ｎ    面材の裏側にくる鉄板釘穴ｎ番目
８      細長孔
９      仮止め釘穴
１０    本発明金物
１１    面材釘
１２    かど金物
１３    柱
１４    間柱
１５    土台
１６    アンカーボルト
１７    布基礎
１８    面材の表側にくる縦鉄板の延長部
１９    同釘穴
２０    面材
２１    横架材
【図１】
2006016941.tif 000003
【図２】
2006016941.tif 000004
【図３】
2006016941.tif 000005
【図４】
2006016941.tif 000006
【図５】
2006016941.tif 000007
【図６】
2006016941.tif 000008
(57)【要約】【課題】個人住宅などにおいて現金や有価証券などを保管するとき、火災による焼失、炭化から守り、一方で盗難事故からも安心安全に保管できるような耐火庫を安価に提供する。【解決手段】軽量で低容積で必要な防耐火性能を確保するために、鋼板と鉱物性ボード及び膨圧型耐火塗料とを組み合わせることを特徴とする。また、低容積のため建物躯体に一体化した取り付けが可能な構造とし盗難予防も可能という特徴を有している。【選択図】図１
2006016942.tif 000002
【特許請求の範囲】
【請求項１】
建物躯体に容易に組み込むことができ、且つ、他人による不法な強制移動が容易にできないように固定でき、火災事故の際にそれ自身が損傷崩壊することなく外部と耐火庫内部を完全に遮断して、内部の昇温を抑制し、保管品を焼失、炭化及び盗難から守ることができる耐火庫
【請求項２】
外層に熱放散効果の高い鉄・アルミ等の金属板を用い、中間層にターマイト・石膏ボード・ロックウール等断熱効果の高い不燃耐火ボードを用い、内装層に、一定の温度で膨厚して間隙充填効果と断熱層形成作用を併せ持つ窒素、リン酸系塗料塗膜からなる三層構造を持つことを特徴とする。
【請求項３】
通常時には、必要十分な庫内空間を確保し、火災時には最内側塗装層及び扉シール部に施工されている耐火テープ等が厚い炭化層を発泡形成して、中間層とともに二重の断熱層をつくり、火災による外部昇温時の耐火庫内部への熱伝導を遮断して耐火庫内部温度の上昇を阻止することを特徴とする。
【請求項４】
耐火庫内部の温度が保管品の材質である紙布類の燃焼温度に達する前の低温（約２００℃）で内装塗料が反応膨厚して、その形成炭化層が空隙をある程度充填して外部との空気の流通が遮断でき同時に膨厚過程での内部空気中の酸素を取り込み不燃性ガスである炭酸ガスに置換して保管物の燃焼を防止すること特徴とする。
【発明の詳細な説明】
【発明の詳細な説明】
【産業上の利用分野】
【０００１】本発明は、統計による個人住宅の火災事故における物的損害のうち現金、有価証券等が焼失する自体が数多く発生しているが、その多くは適当な耐火庫の入手が困難であることによる。また、高齢者の場合、貴重品を持ち出そうとすることで逃げ遅れ、生命の危険にさらされることも考えられ、その上、盗難防止と言う点からも、安心できる保管場所の確保を提供する必要がある。
【背景技術】
【０００２】火災に対する防御手段として、耐火室の造営又は耐火庫の設置がある。然し、現代の個人住宅で耐火室を設けることは建築費用上の問題で皆無に近い。また、従来からある耐火金庫は、必要な耐火性能の確保と盗難防止のため、鋼鉄とセメントを主要材料とした相当程度の重量物品且つ高価なものとなってしまい、一般個人用に普及しているとは言い難い。一般家庭に見かける手提げ金庫では、耐火性能はもちろん盗難防止もそれだけでは不可能である。【０００３】一般家庭では上記のような堅固な金庫は保有できないので、現金及び有価証券、株券等の保管には金融機関の貸し金庫を、それ相当の利用料を払いながら利用している。
【発明が解決しようとする課題】
【０００４】高価な造営費用および一定空間を占拠する耐火防災室を造る代わりに、それを極小化した耐火空間を有する耐火庫とし、同時に盗難防止のためには、従来の金属などの比重の高い素材を使用することで持ち運びを困難にする方式を避けて、壁などの埋め込み又は固定物に取り付けて移動できなくするという新しい発想での耐火庫を作製する。
【課題を解決するための手段】
【０００５】軽量、低容積で必要な防耐火性能を確保するために、鉱物性ボードと膨厚型耐火塗料を併用する。なお、膨厚型耐火塗料は、膨厚時に空気中の酸素を消費し不燃性ガスに置換できる塗料とする。盗難防止のためには、従来のように高比重材料を多用する代わりに、建物躯体に本体を取り付け固定して、固定装置は材質・構造ともに容易に分離ないしは分解できないものとする。
【発明を実施するための最良の形態】
【０００６】耐火庫本体は、火災等の災害発生時に高温高熱環境でも変形・崩壊せず、断熱効果を維持する鉱物系ボードを用いた６面体とする。また、耐火庫内６面には、全面に
【請求項２】
の塗料を目標耐火性能をうるに必要な量を塗装し、通常使用時には保管のために十分な空間を提供し、火災等の高温発生時には発泡膨厚して不燃炭化層を形成するものとする。さらに耐火庫の開閉扉と本体との接合部には、高温災害発生時に接合部からの炎熱ガスの進入を遮断するために、その接合木口４面にはシート状に成型した耐火塗料が埋め込まれている。これは、被災時にシート状耐火塗料が一定の温度で発泡膨厚し、そこで形成された炭化層が空隙部を完全充填することにより、庫内空気の出入りを遮断し、燃焼時に必要な酸素供給を断つことにより内部の類焼を防止するが、同時に、通常時には、当該シートのクッション性が防湿のためのシール材となっている。
【０００７】この耐火庫のもう一方の特徴として、軽量小型であるために壁面内部や什器内部等に容易にフック等によりボルト締めで固定することができるものとし、盗難など強制移動を防止する。
【実施例】
【０００８】以下、三層構造とその組立ての詳細を図面を用いて説明する。【０００９】〔図１〕は、発明品のパース図であり、正面（扉）も含め全面鉄板張りとする。【００１０】〔図２〕は、発明品の平面図（断面図）であり、正面（扉）、裏面板、上下（天井、床部）、両側面の各内側は膨厚型耐火塗料で塗装する。【００１１】〔図３〕は、発明品の正面図であり、上下（天井、床部）及び両側面は、無機ボードの２枚張りとする。【００１２】〔図４〕は、発明品の側面図である。裏面板上下の余り部（ボックス以外の上下の板部）は、躯体取り付け部位とする。【００１３】〔図５〕は、発明品の接着部木口の断面図である。【００１４】〔図６〕は、発明品の通常時の内層側面図である。【００１５】〔図７〕は、被災時に膨厚型耐火塗料が発泡し断熱層形成時の内層側面図である。
【発明の効果】
【００１６】本発明は次のような効果をうることが出来る。
（い）３種の不燃耐火材料を用いた三層構造の相乗効果で、庫内の保管品を火災から守ることができる。
（ろ）人命尊重
（は）固定装置及び固定方法により躯体壁と耐火庫を一体化できるので盗難の恐れが皆無となる。
（に）安価な製作費のため建物建設時及びリフォーム時に費用負担が少なくてすむ。
（ほ）外部貸し金庫の費用節約が出来る。
【図面の簡単な説明】
【図１】発明品のパース図（外層）
【図２】発明品の平面図（中間層）
【図３】発明品の正面図（中間層）
【図４】発明品の側面図（中間層）
【図５】発明品の接合部木口の断面図
【図６】通常時の中間層に塗装された内装層の側面図
【図７】断熱層形成時の内装層の側面図
【符号の説明】
１．外層（鉄板）
２．外層扉部（鉄板）
３．ダイアル式ロック
４．断熱無機ボード
５．膨厚防火テープ
６．内装（膨厚型耐火塗料）
７．内装（断熱層形成時）
【図１】
2006016942.tif 000003
【図２】
2006016942.tif 000004
【図３】
2006016942.tif 000005
【図４】
2006016942.tif 000006
【図５】
2006016942.tif 000007
【図６】
2006016942.tif 000008
【図７】
2006016942.tif 000009